(57)【要約】【課題】  浴室の邪魔にならない位置にスッキリとした状態で、かつ良好な使用勝手を呈して設置できる浴室の小物入れを提供する。【解決手段】  浴室の一壁面４に沿って浴槽２と洗い場用カウンター６が併設され、該カウンター６の下方に、浴槽２と反対側の洗い場壁面５に支持させて小物入れ７を設け、該小物入れ７は、洗い場壁面５のカウンター下方に支持部材８を固設し、該支持部材８に対し洗い場側３へ引き出し可能に取り付けられている。【選択図】        図２
2006034638.tif 000002
【特許請求の範囲】
【請求項１】
浴室の一壁面に沿って浴槽と洗い場用カウンターが併設され、該カウンターの下方に、浴槽と反対側の洗い場壁面に支持させて小物入れを設けたことを特徴とする浴室の小物入れ。
【請求項２】
前記洗い場壁面のカウンター下方に支持部材を固設し、該支持部材に対し前記小物入れを洗い場側へ引き出し可能に取り付けたことを特徴とする請求項１に記載の浴室の小物入れ。
【発明の詳細な説明】
【技術分野】
【０００１】
本発明は、浴室に設置される小物入れに関するものである。
【背景技術】
【０００２】
従来、例えば特許文献１に開示されているような、掃除用洗剤や浴室で出たゴミを入れることのできる引出しを備えたカウンターが存在する。
【特許文献１】特開２００１−２９２９２４号公報
【発明の開示】
【発明が解決しようとする課題】
【０００３】
従来のような引出しを備えたカウンターでは、カウンターに負荷が掛かり、カウンターを大きなブラケットで壁面に固定する必要があり、また、形状が複雑となってコストがかかってしまうという問題点があった。
【課題を解決するための手段】
【０００４】
本発明は上記従来の問題点に鑑み案出したものであって、形状が複雑とならず、カウンターに負荷が掛からなくて、スッキリとした状態で設置できる浴室の小物入れを提供せんことを目的とし、その請求項１は、浴室の一壁面に沿って浴槽と洗い場用カウンターが併設され、該カウンターの下方に、浴槽と反対側の洗い場壁面に支持させて小物入れを設けたことである。
また、請求項２は、前記洗い場壁面のカウンター下方に支持部材を固設し、該支持部材に対し前記小物入れを洗い場側へ引き出し可能に取り付けたことである。
【発明の効果】
【０００５】
本発明は、カウンターの下方に、浴槽と反対側の洗い場壁面に支持させて小物入れを設けたことにより、カウンターの下方にスッキリとした状態で小物入れを設置でき、この小物入れ内に、洗剤とかゴミ等を入れて有効に利用することができるものとなる。
【０００６】
また、洗い場壁面のカウンター下方に支持部材を固設し、支持部材に対し小物入れを洗い場側へ引き出し可能に取り付けたことにより、小物入れを洗い場側へ引き出して使用することができ、また、カウンターの下方に押し込んでスッキリと設置することができ、使い勝手が良好なものとなる。
【実施例】
【０００７】
以下、本発明の実施例を図面に基づいて説明する。
図１は、浴室の平面概略構成図であり、浴室１の一壁面４に沿って、浴槽２と洗い場３用カウンター６が併設され、該カウンター６の下方に、浴槽２と反対側の洗い場壁面５に支持させて小物入れ７が設けられている。
【０００８】
図２は斜視図を示すものであり、図２では、小物入れ７を支持する支持部材８の構造を明確にするため、支持部材８を洗い場３側にわざと突出させた状態で示している。
支持部材８は、カウンター６の下方の洗い場壁面５に固定されるものであり、図３の洗い場側から見た正面拡大図で示すように、支持部材８は、洗い場壁面５にビス等で固定される固定片８ａに、段を形成して上方に立ち上がる立上片８ｂと、固定片８ａから段を形成して下方へ垂設された垂下片８ｃを備えたＴ字状の断面形状に形成されている。
【０００９】
一方、小物入れ７は、前面側に指を引っ掛けることのできる手掛け部７ａが形成されており、右側面すなわち洗い場壁面５側には、鉤状の上引っ掛け片７ｂと下引っ掛け片７ｃが上下に対向状に形成されており、上引っ掛け片７ｂ及び下引っ掛け片７ｃにより上下にスライド溝Ｍ，Ｍが形成されて、この上下のスライド溝Ｍ，Ｍ内に、支持部材８の立上片８ｂと垂下片８ｃが嵌め込まれるように構成されている。
【００１０】
予めカウンター６の下方の洗い場壁面５に支持部材８を固設しておき、この支持部材８に対し、洗い場３側から横方向に小物入れ７を係合させ、支持部材８の立上片８ｂには上引っ掛け片７ｂを、垂下片８ｃには下引っ掛け片７ｃを引っ掛け状にする。
即ち、この状態では、支持部材８の立上片８ｂ及び垂下片８ｃが小物入れ７に形成されているスライド溝Ｍ，Ｍ内に嵌め込まれ、良好に小物入れ７をカウンター６の下方の洗い場壁面５に取り付けることができるものであり、小物入れ７の負荷が支持部材８を介して洗い場壁面５に掛かる構造であり、カウンター６には負荷が掛からないため、カウンター６は比較的小さなブラケットで浴室１の一壁面４に固設することができるものである。
【００１１】
図４の平面拡大構成図で示すように、小物入れ７の手掛け部７ａに指を引っ掛けて、小物入れ７を洗い場３側へ引き出して使用することができ、引き出した状態で、上面が開放されている小物入れ７内に洗剤やゴミ等を入れることができ、再び小物入れ７をカウンター６の下面に押し込んで、スッキリとした状態で収納しておくことができるものであり、小物入れ７は邪魔にならない浴室のデッドスペースにスッキリとした状態で設置できるものである。また、洗い場側へ引き出して物を中に入れることができ、使用勝手が良好なものとなる。
【００１２】
次に、図５は変更例を示すものであり、図５では、カウンター６の下方の洗い場壁面５に予め支持部材８をビス１１で固設しておくものである。
この支持部材８は、ビス１１で洗い場壁面５に固定される固定片８ａの上面に段部８ｄが形成され、この段部から上方へ立ち上がって立上片８ｂが一体形成されたものである。
また、小物入れ７の洗い場壁面５側の側面には、平面視コの字状をなすコの字引っ掛け部材１２が設けられている。
【００１３】
このコの字引っ掛け部材１２は、小物入れ７から洗い場壁面５側へ突出する前後一対の突出片１２ａ，１２ａが横長引っ掛け片１２ｂで連結されて、コの字状に形成されており、このコの字引っ掛け部材１２と小物入れ７の洗い場壁面５側の側面間には、横方向に長いスライド溝Ｍが形成されて、このスライド溝Ｍ内に、支持部材８の立上片８ｂを差込み状にして、コの字引っ掛け部材１２を介して小物入れ７を支持部材８に支持させることができるものである。
【００１４】
即ち、予め洗い場壁面５に支持部材８を固設しておき、この支持部材８の立上片８ｂに対して小物入れ７のコの字引っ掛け部材１２を上方より係合させて、スライド溝Ｍ内に立上片８ｂを挿入させておき、その状態で、上方にカウンター６を設置して、小物入れ７の上面をカウンター６で蓋した状態とすることができる。
【００１５】
小物入れ７を洗い場３側へ引き出す際には、手掛け部７ａに指を入れて引き出すことにより、スライド溝Ｍの前後幅分だけ小物入れ７を洗い場３側へスライド移動させることができ、支持部材の立上片８ｂがコの字引っ掛け部材１２の突出片１２ａに当接すると移動が停止され、小物入れ７が洗い場３側へ抜脱することがなく、使用勝手が良好なものとなり、使用しない時には、小物入れ７をカウンター６の下面の洗い場壁面５側の邪魔にならない場所にスッキリとした状態で設置しておくことができるものである。
【図面の簡単な説明】
【００１６】
【図１】浴室の平面概略構成図である。
【図２】図１の斜視構成図である。
【図３】小物入れの設置状態を示す洗い場側から見た正面拡大構成図である。
【図４】小物入れの引き出し可能状態を示す平面構成図である。
【図５】支持部材及びコの字引っ掛け部材により小物入れをスライド移動可能に設置した別例の拡大斜視構成図である。
【符号の説明】
【００１７】
１  浴室
２  浴槽
３  洗い場
４  一壁面
５  洗い場壁面
６  カウンター
７  小物入れ
７ａ  手掛け部
７ｂ  上引っ掛け片
７ｃ  下引っ掛け片
８  支持部材
８ａ  固定片
８ｂ  立上片
８ｃ  垂下片
８ｄ  段部
１１  ビス
１２  コの字引っ掛け部材
１２ａ  突出片
１２ｂ  横長引っ掛け片
Ｍ  スライド溝
【図１】
2006034638.tif 000003
【図２】
2006034638.tif 000004
【図３】
2006034638.tif 000005
【図４】
2006034638.tif 000006
【図５】
2006034638.tif 000007